(57)【特許請求の範囲】
【請求項１】
昇降路に配置されて前側に出入口が設けられたかご室と、このかご室の上面に設けられた空気調和装置と、キャップ状に形成されて上記かご室の上面及び空気調和装置を覆って上記かご室に装着され、上記昇降路の壁面に近接して配置される上記かご室の出入口面に接続した前側面に開口した前側換気口及び上記前側面に対向した後側面に開口した後側換気口が設けられた整風カバーとを備えたエレベーターのかご装置。
【請求項２】
前側換気口を、開口部の上側縁部が整風カバー内側に引退して上記前側換気口における開口部の下側縁部よりも下降し、この下側縁部との間に重合部を形成したダクト状部を有するものとし、後側換気口を、開口部の下側縁部が整風カバー内側に引退して上記後側換気口における開口部の上側縁部よりも上昇し、この上側縁部との間に重合部を形成したダクト状部を有するものとしたことを特徴とする請求項１記載のエレベーターのかご装置。
【請求項３】
整風カバーを、筒状をなし下縁部が上記かご室の上面に装着された側板、上記かご室の間口方向の左側に対応して形成されて左側縁部が上記側板の左側に枢着された左天蓋及び上記かご室の間口方向の右側に対応して形成されて右側縁部が上記側板の右側に枢着されて常時は上記左天蓋の回動端側に締結される右天蓋によって構成したことを特徴とする請求項１記載のエレベーターのかご装置。
【請求項４】
かご室が配置されたかご枠の上梁に装着されて、空気調和装置の室外機の取付台を兼ねた足場板を備えたことを特徴とする請求項１記載のエレベーターのかご装置。
【発明の詳細な説明】
【０００１】
【発明の属する技術分野】
この発明は、空気調和装置が設けられて昇降路を昇降するエレベーターのかご装置に関する。
【０００２】
【従来の技術】
図４は、例えば特開平５−７８０６４号公報に示された構成に類似した従来のエレベーターのかご装置を概念的に示す縦断側面図である。図において、１はかご枠の要部を形成する上梁、２はかご枠内に設けられたかご室で、かご床３、昇降路（図示しない）の壁面に近接して配置される出入口４、天井５及び出入口４を開閉するかごの戸６が設けられている。７は鍔なしの帽子状、すなわちキャップ状に形成された整風カバーで、上梁１及び天井５の上側を覆ってかご室２に装着されている。
【０００３】
８は下部整風体で、かご床３の下側を覆ってかご室２に装着されている。９はかご室２の上に設けられた空気調和装置で、整風カバー７上の上梁１対応位置に配置された室外機１０、この室外機１０と管路１１によって接続されて天井５の上に配置された室内機１２によって構成されている。１３は天井５に開口して室内機１２に連通した吸気孔、１４は天井５に開口して室内機１２に連通した送気孔である。
【０００４】
従来のエレベーターのかご装置は上記のように構成され、かごの上昇時は整風カバー７によってかご外の空気が整流され、またかごの下降時は下部整風体８によってかご外の空気が整流される。これによって、かごの昇降時に空気流の乱れによって発生する風音、すなわち騒音が抑制される。また、空気調和装置９によってかご室２内が空気調和されるようになっている。
【０００５】
【発明が解決しようとする課題】
上記のような従来のエレベーターのかご装置において、整風カバー７の上に空気調和装置９の室外機１０が設けられているので、かごの上昇時に整風作用が損なわれて風音による騒音が増すという問題点があった。また、整風カバー７内に室外機１０を設置すると整風カバー７内の換気が不十分となるため、室外機１０の熱交換作用が低下して空気調和装置９による空気調和能率が低下するという問題点があった。
【０００６】
この発明は、かかる問題点を解消するためになされたものであり、かごの昇降時の整風作用及び妥当な空気調和作用が得られるエレベーターのかご装置を得ることを目的とする。
【０００７】
【課題を解決するための手段】
この発明に係るエレベーターのかご装置においては、昇降路に配置されて前側に出入口が設けられたかご室と、このかご室の上面に設けられた空気調和装置と、キャップ状に形成されてかご室の上面及び空気調和装置を覆ってかご室に装着され、昇降路の壁面に近接して配置されるかご室の出入口面に接続した前側面に開口した前側換気口及び前側面に対向した後側面に開口した後側換気口を有する整風カバーとが設けられる。
【０００８】
また、この発明に係るエレベーターのかご装置においては、開口部の上側縁部が整風カバー内側に引退して前側換気口における開口部の下側縁部よりも下降し、この下側縁部との間に重合部を形成したダクト状部を有する前側換気口が設けられ、また開口部の下側縁部が整風カバー内側に引退して後側換気口における開口部の上側縁部よりも上昇し、この上側縁部との間に重合部を形成したダクト状部を有する後側換気口が設けられる。
【０００９】
また、この発明に係るエレベーターのかご装置においては、筒状をなし下縁部がかご室の上面に装着された側板、かご室の間口方向の左側に対応して形成されて左側縁部が側板の左側に枢着された左天蓋及びかご室の間口方向の右側に対応して形成されて右側縁部が側板の右側に枢着されて常時は左天蓋の回動端側に締結される右天蓋によって構成された整風カバーが設けられる。
【００１０】
また、この発明に係るエレベーターのかご装置においては、かご室が配置されたかご枠の上梁に装着されて、空気調和装置の室外機の取付台を兼ねた足場板が設けられる。
【００１１】
【発明の実施の形態】
実施の形態１．
図１〜図３は、この発明の実施の形態の一例を示す図で、図１はエレベーターのかご装置を概念的に示す縦断側面図、図２は図１のＡ−Ａ線断面図、図３は図２のかご上での作業状況を示す図２の要部相当図である。図において、１はかご枠１５の要部を形成する上梁、２はかご枠１５内に設けられたかご室で、かご床３、昇降路（図示しない）の壁面に近接して配置される出入口４、天井５及び出入口４を開閉するかごの戸６が設けられている。
【００１２】
１６はキャップ状に形成された整風カバーで、上梁１及び天井５の上側を覆ってかご室２に装着され、筒状をなす側板１７、側板１７の上端のかご室２の間口方向における一側に下端が枢着されて、側板１７上方の図２おける左半分を形成する左天蓋１８、側板１７の上端のかご室２の間口方向における他側に下端が枢着されて、側板１７上方の図２おける右半分を形成して左天蓋１８との対向縁部が左天蓋１８の縁部に重合して配置された右天蓋１９及びボルトからなり左天蓋１８と右天蓋１９の重合部を締結する締結具２０によって形成されている。
【００１３】
２１は前側換気口で、右天蓋１９の出入口４対応側、すなわち整風カバー１６における昇降路の壁面に近接して配置されるかご室２の出入口２面に接続した前側の面に開口して設けられ、開口部の上側縁部が整風カバー１６内側に引退して下側縁部よりも下降し、下側縁部との間に図１に示す重合部Ｂを形成したダクト状部が構成されている。
【００１４】
２２は後側換気口で、側板１７の反出入口４対応側、すなわち整風カバー１６において出入口４側よりも昇降路の壁面に対して離れて配置されるかご室２の反出入口２面に接続した後側の面に開口して設けられ、開口部の下側縁部が整風カバー１６内側に引退して上側縁部よりも上昇し上側縁部との間に図１に示す重合部Ｃを形成したダクト状部が構成されている。
【００１５】
２３は上梁１の上に固定されて整風カバー１６内に設けられた足場板で、上面に後述する空気調和装置９の室外機１０が装着され、室外機１０の取付台を兼ねて配置されている。８は下部整風体で、かご床３の下側を覆ってかご室２に装着されている。
【００１６】
９はかご室２の上に設けられた空気調和装置で、足場板２３の上に設けられて整風カバー１６内に配置された室外機１０、この室外機１０と管路１１によって接続されて天井５の上に配置された室内機１２によって構成されている。１３は天井５に開口して室内機１２に連通した吸気孔、１４は天井５に開口して室内機１２に連通した送気孔である。
【００１７】
上記のように構成されたエレベーターのかご装置において、かごの上昇時は整風カバー１６によってかご上方の空気が整流され、またかごの下降時は下部整風体８によってかご下方の空気が整流される。これによって、かごの昇降時に空気流の乱れによって発生する風音、すなわち騒音が抑制されるので、運転時にかご内を静粛化できて乗り心地を向上することができる。
【００１８】
また、前側換気口２１は昇降路の壁面に対し後側換気口２２よりも接近して配置されている。このため、かごの昇降によって前側換気口２１側における気圧が、後側換気口２２側よりも低下する。したがって、整風カバー１６内の空気は前側換気口２１から流出し、また外気が後側換気口２２から整風カバー１６内へ吸入される。
【００１９】
これによって、整風カバー１６内が換気されて整風カバー１６内に設置された空気調和装置９の室外機１０の熱交換作用が阻害されることがない。このため、空気調和装置９によるかご室２内の正常な空気調和作用を得ることができ乗り心地を向上することができる。
【００２０】
なお、かごの昇降方向に関わらず、前側換気口２１側においてかごの昇降によって気圧が低下するので、整風カバー１６内の換気作用を得ることができる。また、かごの停止時に整風カバー１６内の換気作用が得られなくなる。しかし、かごの停止時に空気調和装置９の運転が停止され、また通常状態ではかごの戸６が開放されるので、整風カバー１６内の換気作用の消失が実用上の障害となることはない。
【００２１】
また、開口部の上側縁部が整風カバー１６内側に引退して前側換気口２１における開口部の下側縁部よりも下降し、この下側縁部との間に重合部を形成したダクト状部を有する前側換気口２１が設けられる。また、開口部の下側縁部が整風カバー１６内側に引退して後側換気口における開口部の上側縁部よりも上昇し、この上側縁部との間に重合部を形成したダクト状部を有する後側換気口２２が設けられる。
【００２２】
そして、前側換気口２１及び後側換気口２２にダクト状部が設けられている。これによって、かごの昇降時に整風カバー１６によってかご上方の空気が整流されるときに、かごの昇降時に整風カバー１６における前側換気口２１及び後側換気口２２に起因する空気流の乱れによって発生する風音、すなわち騒音が抑制される。このため、運転時にかご内を静粛化できて乗り心地を向上することができる。
【００２３】
また、整風カバー１６の上部が左天蓋１８と右天蓋１９の両者によって形成され、常時は上記両者の重合部が締結具２０によって締結され、エレベーターの保守作業時には締結具２０が取り外されて図３に示すように開放される。この状態で作業用スペースが広がるので、保守作業を容易化することができる。また、空気調和装置９の室外機１０の取付台を兼ねた足場板２３が設けられるので部材数が減少する。これによって、かごを軽量化でき、また製作費を節減することができる。
【００２４】
【発明の効果】
この発明は以上説明したように、昇降路に配置されて前側に出入口が設けられたかご室と、このかご室の上面に設けられた空気調和装置と、キャップ状に形成されてかご室の上面及び空気調和装置を覆ってかご室に装着され、昇降路の壁面に近接して配置されるかご室の出入口面に接続した前側面に開口した前側換気口及び前側面に対向した後側面に開口した後側換気口を有する整風カバーとを設けたものである。
【００２５】
これによって、かごの上昇時は整風カバーによってかご上方の空気を整流し、かごの上昇時に空気流の乱れによって発生する騒音を抑制し、運転時にかご内を静粛化できて乗り心地を向上する効果がある。また、前側換気口は昇降路の壁面に対して後側換気口よりも接近して配置されているので、かごの昇降によって前側換気口側における気圧が、後側換気口側よりも低下する。したがって、整風カバー内の空気が前側換気口から流出し、また外気が後側換気口から整風カバー内へ吸入される。これによって、整風カバー内が換気されて整風カバー内に設置された空気調和装置の室外機の熱交換作用が阻害されず、空気調和装置によるかご室内の正常な空気調和作用を得ることができ乗り心地を向上する効果がある。
【００２６】
また、この発明は以上説明したように、開口部の上側縁部が整風カバー内側に引退して前側換気口における開口部の下側縁部よりも下降し、この下側縁部との間に重合部を形成したダクト状部を有する前側換気口を設け、また開口部の下側縁部が整風カバー内側に引退して後側換気口における開口部の上側縁部よりも上昇し、この上側縁部との間に重合部を形成したダクト状部を有する後側換気口を設けたものである。
【００２７】
そして、前側換気口及び後側換気口にダクト状部が形成されている。このため、かごの昇降時に整風カバーによってかご上方の空気が整流されるときに、かごの昇降時に前側換気口及び後側換気口に起因する空気流の乱れによって発生する風音、すなわち騒音が抑制される。このため、運転時にかご内を静粛化できて乗り心地を向上する効果がある。
【００２８】
また、この発明は以上説明したように、筒状をなし下縁部がかご室の上面に装着された側板、かご室の間口方向の左側に対応して形成されて左側縁部が側板の左側に枢着された左天蓋及びかご室の間口方向の右側に対応して形成されて右側縁部が側板の右側に枢着されて常時は左天蓋の回動端側に締結される右天蓋によって構成された整風カバーを設けたものである。
【００２９】
これによって、左天蓋と右天蓋の両者によって形成された整風カバーが、常時は上記両者の重合部が締結され、またエレベーターの保守作業時には上記両者の締結が解除され、それぞれ回動されて開放される。そして、上記両者が開放されて広いスペースによって保守作業を行うことができ、保守作業を容易化する効果がある。
【００３０】
また、この発明は以上説明したように、内部にかご室が配置されたかご枠の上梁に装着されて、空気調和装置の室外機の取付台を兼ねた足場板を設けたものである。
【００３１】
これによって、足場板が空気調和装置の室外機の取付台に兼用されるので、かごの部材数が減少する。これにより、かごを軽量化でき、またかごの製作費を節減する効果がある。
【図面の簡単な説明】
【図１】  この発明の実施の形態１を示す図で、エレベーターのかご装置を概念的に示す縦断側面図。
【図２】  図１のＡ−Ａ線断面図。
【図３】  図２のかご上での作業状況を示す図２の要部相当図。
【図４】  従来のエレベーターのかご装置を概念的に示す縦断側面図。
【符号の説明】
１  上梁、２  かご室、４  出入口、５  上面、９  空気調和装置、１０  室外機、１５  かご枠、１６  整風カバー、１７  側板、１８  左天蓋、１９  右天蓋、２１  前側換気口、２２  後側換気口、２３  足場板。
【図１】
0004256533.tif 000002
【図２】
0004256533.tif 000003
【図３】
0004256533.tif 000004
【図４】
0004256533.tif 000005